(57)【要約】【課題】相手側コネクタに接続した状態で大きな力が加えられた場合でも安定的に接続を維持できる電気コネクタを提供する。【解決手段】相手側コネクタに接続される端子２と、端子２が設けられたハウジング３と、ハウジング３を覆うハウジングカバー４と、相手側コネクタに係止するラッチ部材５とを備えた電気コネクタ１。ハウジング３は、ハウジング本体３１と、ハウジング本体３１から接続方向に突出して端子を支持する端子支持部３２を有する。ラッチ部材５は、支持用延出部５３がハウジングカバー４の支持部カバー部４４に当接することによりハウジング本体３１の傾動を規制する。【選択図】図１
2010176959.tif 000002
【特許請求の範囲】
【請求項１】
相手側コネクタに接続される端子と、前記端子が設けられたハウジングと、前記ハウジングの少なくとも一部を覆うハウジングカバーと、相手側コネクタに係止するラッチ部材とを備え、
前記ハウジングが、ハウジング本体と、前記ハウジング本体から前記相手側コネクタに対する接続方向に突出して前記端子を支持する端子支持部を有し、
前記ラッチ部材が、前記ハウジング本体に設けられた基部と、前記基部から前記相手側コネクタに対する接続方向に延出する係止用延出部と、前記基部から延出する支持用延出部とを有し、
前記係止用延出部が、前記端子支持部に沿って延出し、その先端に設けられた係止突起によって前記相手側コネクタに係止可能であり、
前記ハウジングカバーが、前記ハウジング本体の少なくとも一部を覆う本体カバー部と、前記端子支持部の少なくとも一部を覆う支持部カバー部とを有し、
前記ラッチ部材は、前記ハウジング本体に傾き方向の力が加えられたときに、前記支持用延出部が前記支持部カバー部に当接することにより前記ハウジング本体の傾動を規制するように形成されていることを特徴とする電気コネクタ。
【請求項２】
前記支持部カバー部に、嵌合穴が形成され、
前記支持用延出部に、前記嵌合穴に嵌合可能な嵌合突起が形成され、
前記嵌合突起は、前記ハウジング本体に傾き方向の力が加えられたときに、前記嵌合により前記支持用延出部の移動を規制するように形成されていることを特徴とする請求項１に記載の電気コネクタ。
【請求項３】
前記ラッチ部材は、金属板で構成されていることを特徴とする請求項１または２に記載の電気コネクタ。
【請求項４】
前記ラッチ部材は、前記端子支持部の延在方向に対しほぼ垂直な板状に形成されていることを特徴とする請求項１〜３のうちいずれか１項に記載の電気コネクタ。
【請求項５】
前記支持部カバー部は、前記端子支持部を収容する筒状に形成されていることを特徴とする請求項１〜４のうちいずれか１項に記載の電気コネクタ。
【請求項６】
前記ハウジングカバーが、前記ハウジング本体の一方の面を覆うカバー部材本体と前記支持部カバー部とを有する第１カバー部材と、前記ハウジング本体の他方の面を覆う第２カバー部材とを備え、
前記支持部カバー部の他方の面側には、前記第２カバー部材に形成された被係合部に係合することによって前記第１カバー部材の移動を規制する係合突起を有する係止片が形成され、
前記係止片は、前記端子支持部の厚さ方向に突出して形成され、前記接続方向に沿って延在していることを特徴とする請求項１〜５のうちいずれか１項に記載の電気コネクタ。
【発明の詳細な説明】
【技術分野】
【０００１】
本発明は、携帯電話、パーソナル・コンピュータ、プリンタ等に使用できる電気コネクタに関する。
【背景技術】
【０００２】
図１２〜図１４は、従来の電気コネクタの一例を示すもので、ここに示す電気コネクタ７１は、相手側コネクタ１００に接続される端子７２と、端子７２が設けられたハウジング７３と、ハウジング７３を覆うハウジングカバー７４と、相手側コネクタ１００に係止するラッチ部材７５とを備えている。
端子７２は、相手側コネクタ１００の端子（図示略）に下面側から接触可能である。
ハウジング７３は、ハウジング本体７３ａと、ハウジング本体７３ａから突出する端子支持部７３ｂとを有する。端子支持部７３ｂの上面には、端子７２が配置される複数の端子用溝部７３ｃが形成されている（特許文献１を参照）。
【先行技術文献】
【特許文献】
【０００３】
【特許文献１】特開２００７−１７２９４１号公報
【発明の概要】
【発明が解決しようとする課題】
【０００４】
しかしながら、電気コネクタ７１では、図１４に矢印で示すように、相手側コネクタ１００に接続した状態でケーブル６に力が加えられることなどにより本体部７１Ａに上方への力が加えられると、本体部７１Ａが傾動し、相手側コネクタ１００の端子と端子７２との電気的接触に瞬断が発生することがあった。
本発明は前記事情に鑑みてなされたもので、相手側コネクタに接続した状態で大きな力が加えられた場合でも安定的に接続を維持できる電気コネクタを提供することを目的とする。
【課題を解決するための手段】
【０００５】
本発明の請求項１にかかる発明は、相手側コネクタに接続される端子と、前記端子が設けられたハウジングと、前記ハウジングの少なくとも一部を覆うハウジングカバーと、相手側コネクタに係止するラッチ部材とを備え、前記ハウジングが、ハウジング本体と、前記ハウジング本体から前記相手側コネクタに対する接続方向に突出して前記端子を支持する端子支持部を有し、前記ラッチ部材が、前記ハウジング本体に設けられた基部と、前記基部から前記相手側コネクタに対する接続方向に延出する係止用延出部と、前記基部から延出する支持用延出部とを有し、前記係止用延出部が、前記端子支持部に沿って延出し、その先端に設けられた係止突起によって前記相手側コネクタに係止可能であり、前記ハウジングカバーが、前記ハウジング本体の少なくとも一部を覆う本体カバー部と、前記端子支持部の少なくとも一部を覆う支持部カバー部とを有し、前記ラッチ部材が、前記ハウジング本体に傾き方向の力が加えられたときに、前記支持用延出部が前記支持部カバー部に当接することにより前記ハウジング本体の傾動を規制するように形成されている電気コネクタである。
本発明の請求項２にかかる発明は、請求項１において、前記支持部カバー部に、嵌合穴が形成され、前記支持用延出部に、前記嵌合穴に嵌合可能な嵌合突起が形成され、前記嵌合突起が、前記ハウジング本体に傾き方向の力が加えられたときに、前記嵌合により前記支持用延出部の移動を規制するように形成されている電気コネクタである。
本発明の請求項３にかかる発明は、請求項１または２において、前記ラッチ部材が、金属板で構成されている電気コネクタである。
本発明の請求項４にかかる発明は、請求項１〜３のうちいずれか１項において、前記ラッチ部材が、前記端子支持部の延在方向に対しほぼ垂直な板状に形成されている電気コネクタである。
本発明の請求項５にかかる発明は、請求項１〜４のうちいずれか１項において、前記支持部カバー部が、前記端子支持部を収容する筒状に形成されている電気コネクタである。
本発明の請求項６にかかる発明は、請求項１〜５のうちいずれか１項において、前記ハウジングカバーが、前記ハウジング本体の一方の面を覆うカバー部材本体と前記支持部カバー部とを有する第１カバー部材と、前記ハウジング本体の他方の面を覆う第２カバー部材とを備え、前記支持部カバー部の他方の面側には、前記第２カバー部材に形成された被係合部に係合することによって前記第１カバー部材の移動を規制する係合突起を有する係止片が形成され、前記係止片が、前記端子支持部の厚さ方向に突出して形成され、前記接続方向に沿って延在している電気コネクタである。
【発明の効果】
【０００６】
本発明の電気コネクタでは、本体部分に傾き方向の力が加えられたときに、ラッチ部材の支持用延出部が支持部カバー部に当接してハウジング本体の傾動を規制するので、端子の傾動が起こらず、端子と相手側コネクタの端子との接続を安定に維持することができる。
【図面の簡単な説明】
【０００７】
【図１】本発明の電気コネクタの第１実施形態の一部断面斜視図である。
【図２】図１に示す電気コネクタを一方面側から見た斜視図である。
【図３】図１に示す電気コネクタのハウジングカバーの第１カバー部材を示す斜視図である。
【図４】図１に示す電気コネクタの要部を示す断面図である。
【図５】図１に示す電気コネクタを示す断面図である。
【図６】図１に示す電気コネクタを電気コネクタを他方面側から見た斜視図である。
【図７】図１に示す電気コネクタの要部を示す断面図である。
【図８】本発明の電気コネクタの第２実施形態の一部断面斜視図である。
【図９】図８に示す電気コネクタの要部を示す断面図である。
【図１０】図８に示す電気コネクタの第１カバー部材を示す斜視図である。
【図１１】図８に示す電気コネクタを示す断面図である。
【図１２】従来の電気コネクタを示す斜視図である。
【図１３】図１２に示す電気コネクタの要部を示す断面図である。
【図１４】図１２に示す電気コネクタの要部を示す断面図である。
【発明を実施するための形態】
【０００８】
図１は、本発明の電気コネクタの第１実施形態である電気コネクタ１の一部断面斜視図である。図２は、電気コネクタ１を一方面側から見た全体斜視図である。図３は、ハウジングカバー４の第１カバー部材４１を他方面側から見た斜視図である。図４は、電気コネクタ１の要部を示す断面図である。図５は、電気コネクタ１を示す断面図である。図６は、電気コネクタ１を他方面側から見た斜視図である。図７は、電気コネクタ１の要部を示す断面図である。
以下の説明において、電気コネクタ１の相手側コネクタ１００（図５参照）に対する接続方向を前方といい、その反対方向を後方ということがある。また、上面および下面とは図１における上面および下面をいう。
【０００９】
図１および図２に示すように、電気コネクタ１は、基板１０２に取り付けられた相手側コネクタ１００（図５参照）に接続される端子２と、端子２が設けられたハウジング３と、ハウジング３の少なくとも一部を覆うハウジングカバー４と、相手側コネクタ１００に係止するラッチ部材５とを備えている。符号６は電気コネクタ１が取り付けられるケーブルである。
【００１０】
図４および図５に示すように、ハウジング３は、ハウジング本体３１と、ハウジング本体３１から突出する板状の端子支持部３２とを有する。
図１に示すように、端子支持部３２の上面（一方の面）には、端子２が配置される複数の端子用溝部３３が形成されている。端子用溝部３３は端子支持部３２の突出方向に沿って形成されている。
【００１１】
端子２は、相手側コネクタ１００に対して電気的に接続するものであって、ハウジング本体３１から端子支持部３２にかけて設けられ、先端の接触部２１において相手側コネクタ１００の端子（図示略）と接触可能である。
接触部２１は、相手側コネクタ１００の端子（図示略）に下面側から接触可能である（図１４参照）。端子２は、接触部２１が上下に移動可能となるように弾性変形可能であり、下方に撓んだ状態で相手側コネクタ１００の端子に接触する。
【００１２】
図２および図３に示すように、ハウジングカバー４は、第１カバー部材４１と第２カバー部材４２とを備えている。
第１カバー部材４１は、ステンレス鋼、銅合金などの金属板などからなり、ハウジング本体３１の上面側（一方面側）を覆うカバー部材本体４３と、端子支持部３２を収容する筒状の支持部カバー部４４とを備えている。
第２カバー部材４２は、ステンレス鋼、銅合金などの金属板などからなり、ハウジング本体３１の下面側（他方面側）を覆うように形成されている。
【００１３】
第１カバー部材４１のカバー部材本体４３と第２カバー部材４２は、ハウジング本体３１を覆う本体カバー部４０を構成する。
なお、図示例において、本体カバー部４０はハウジング本体３１の全体を覆うようにされているが、一部のみを覆うように形成してもよい。また、支持部カバー部４４は端子支持部３２の全体を覆うように形成されているが、一部のみを覆うように形成してもよい。
以下、ハウジング本体３１、本体カバー部４０等を本体部分１Ａといい、本体部分１Ａから延出する端子支持部３２、支持部カバー部４４等を延出部分１Ｂという（図２参照）。
【００１４】
支持部カバー部４４の上面（一方の面）側にはラッチ部材５の係止用延出部５２が通過する通過口４５が形成されている。
図４および図５に示すように、支持部カバー部４４の基端部４６は、ハウジング本体３１の内部に達している。
【００１５】
図３、図６および図７に示すように、支持部カバー部４４の下面（他方の面）の後端部には、幅方向に間隔をおいて形成された一対の係止片４８が設けられている。なお、幅方向とは図１および図３におけるＡ１−Ａ２方向をいう。
図示例では、係止片４８は、前記接続方向（端子支持部３２の突出方向）に沿って延在する略矩形の板状に形成されている。
なお、図示例の係止片４８は端子支持部３２の突出方向に延在するが、この延在方向は図示例に限定されず、前記幅方向に対し交差する方向であればよい。
【００１６】
係止片４８は、端子支持部３２の厚さ方向に突出して形成されており、端子支持部３２に対しほぼ垂直とされている。なお、係止片４８の突出方向は図示例に限定されず、端子支持部３２に対し交差する方向であればよい。厚さ方向とは図１および図３におけるＢ１−Ｂ２方向をいう。
図３および図６、図７に示すように、係止片４８の前縁４８ａ上部には、第２カバー部材４２に形成された開口部である被係合部４９の周縁に係合する係合突起５０が形成されている。
【００１７】
図２、図４および図５に示すように、ラッチ部材５は、ステンレス鋼や銅合金などの金属などからなる板状とされ、ハウジング本体３１内に設けられた基部５１と、基部５１の上部から前記接続方向（図４および図５における左方）に延出する係止用延出部５２と、基部５１の下部から前記接続方向に延出する支持用延出部５３とを有する。
係止用延出部５２は、端子支持部３２に沿って延出し、その先端に設けられた係止突起５４によって相手側コネクタに係止可能である。
【００１８】
支持用延出部５３の内縁５３ａ（上縁）は、支持部カバー部４４の外面（下面）に沿って形成されている。図示例では内縁５３ａは支持部カバー部４４の下面に長さ方向にわたり当接している。
ラッチ部材５は、端子支持部３２の延在方向（図５における水平面方向）に対しほぼ垂直に形成されている。図５に示す例では紙面にほぼ平行となっている。
ラッチ部材５は、ハウジング本体３１の上壁３１ａと下壁３１ｂとの間に設けられ、ハウジング本体３１に固定されていることが好ましい。
なお、ラッチ部材５は、樹脂等で形成することもできるが、強度確保の点で金属が好適である。
【００１９】
図５に示すように、電気コネクタ１の支持部カバー部４４を相手側コネクタ１００に挿入すると、端子２は相手側コネクタ１００の端子（図示略）に下面側から接触し、電気的に接続する。
矢印で示すように、ケーブル６に力が加えられることにより本体部分１Ａに傾き方向（上方）への力が加えられた場合には、支持用延出部５３は、支持部カバー部４４の基端部４６の下面に当接することによってその姿勢を維持し、これによってハウジング本体３１の傾動を規制する。
このため、本体部分１Ａの傾きが阻止され、端子２は傾動しない。従って、端子２と相手側コネクタ１００の端子との接続を安定に維持することができる。
なお、傾き方向とは本体部分１Ａを傾ける方向であり、図５に示す方向に限らず、前記接続方向（端子支持部３２の突出方向）に対し交差する方向であってよい。
【００２０】
また、支持部カバー部４４は筒状であるため剛性が高く、支持用延出部５３によって力が加えられても変形が起こりにくいことから、本体部分１Ａの傾動を確実に防ぐことができる。
また、端子支持部３２が板状であるため、支持部カバー部４４の厚さ方向の曲げ剛性は他の方向（例えば幅方向）の曲げ剛性に比べればそれほど高いとはいえないが、ラッチ部材５が端子支持部３２に対しほぼ垂直な板状であるので、端子支持部３２の厚さ方向（例えば図５における上方）の力が作用してもラッチ部材５の変形は起こらず、本体部分１Ａの傾動を確実に防ぐことができる。
なお、ラッチ部材５の形成方向は、端子支持部３２の延在方向に垂直な方向に限らず、前記延在方向に垂直以外の角度で交差する方向であってもよい。
【００２１】
図５に示すように、本体部分１Ａに傾き方向の力が加えられると、第１カバー部材４１にも傾き方向の力が加えられるが、図７に示すように、係止片４８の係合突起５０が被係合部４９の周縁に係合するため、第１カバー部材４１の傾動が規制される。
この際、係止片４８には被係合部４９により大きな力が加えられるが、係止片４８は、端子支持部３２の厚さ方向に突出して形成され、端子支持部３２に沿って延在しているため、本体部分１Ａの傾き方向の力は係止片４８の延在方向に作用することになる。
このため、係止片４８に曲げ等の変形は起こらず、第１カバー部材４１の傾動が阻止され、本体部分１Ａの傾きも起こらず、端子２と相手側コネクタ１００の端子との接続はより安定になる。
【００２２】
図８は、本発明の電気コネクタの第２実施形態である電気コネクタ６１の一部断面斜視図である。図９は、電気コネクタ６１の要部を示す断面図である。図１０は、電気コネクタ６１に用いられる第１カバー部材４１を示す斜視図である。図１１は、電気コネクタ６１を示す断面図である。
図８〜図１０に示すように、支持部カバー部４４の基端部４６付近には、ラッチ部材５の嵌合突起５５が嵌合する嵌合穴４７が設けられている。嵌合穴４７は、支持部カバー部４４の下面側において幅方向の一方側および他方側にそれぞれ形成されている。
【００２３】
支持用延出部５３の先端部の内縁５３ａ（上縁）には、上方に突出する嵌合突起５５が形成されている。嵌合突起５５は、嵌合穴４７に嵌合可能に形成されている。
【００２４】
図１１に示すように、電気コネクタ６１では、嵌合突起５５が嵌合穴４７に嵌合しているため、支持部カバー部４４に対する支持用延出部５３の相対移動が規制されることから、本体部分１Ａに力が加えられても傾動は確実に阻止される。
従って、端子２と相手側コネクタ１００の端子との接続はいっそう安定に維持される。
【符号の説明】
【００２５】
１、６１・・・電気コネクタ、２・・・端子、３・・・ハウジング、４・・・ハウジングカバー、５・・・ラッチ部材、３１・・・ハウジング本体、３２・・・端子支持部、４０・・・本体カバー部、４１・・・第１カバー部材、４２・・・第２カバー部材、４３・・・カバー部材本体、４４・・・支持部カバー部、４７・・・嵌合穴、４８・・・係止片、４９・・・被係合部、５０・・・係合突起、５１・・・基部、５２・・・係止用延出部、５３・・・支持用延出部、５４・・・係止突起、５５・・・嵌合突起。
【図１】
2010176959.tif 000003
【図２】
2010176959.tif 000004
【図３】
2010176959.tif 000005
【図４】
2010176959.tif 000006
【図５】
2010176959.tif 000007
【図６】
2010176959.tif 000008
【図７】
2010176959.tif 000009
【図８】
2010176959.tif 000010
【図９】
2010176959.tif 000011
【図１０】
2010176959.tif 000012
【図１１】
2010176959.tif 000013
【図１２】
2010176959.tif 000014
【図１３】
2010176959.tif 000015
【図１４】
2010176959.tif 000016